(57)【要約】      （修正有）【課題】内容物の不用意な繰り出しを確実に防止できる繰り出し容器を提案する。【解決手段】スクリューロッド１を該ベース部材２を介して回転させることにより該中皿３を該スクリューロッド１の軸芯Ｐに沿いスライドさせて該充填空間Ｍ内の内容物を該ケース本体４の開放端４’より押し出す繰り出し容器において、前記ケース本体４は、その末端部４ａに、前記スクリューロッド１の軸芯Ｐの周りに回動可能で、かつ、該ケース本体４の末端４ａ１に向けて押圧可能な操作体５を設け、該操作体５に、内容物の繰り出しを意図しない初期姿勢においては、前記ベース部材２との連結が解除されているが、該ケース本体４の末端４ａ１に向けた押圧状態では該ベース部材２につながり、かつ、その回動にて該スクリューロッド１の回転を可能とする継手部材７を設ける。【選択図】図１
2018015417.tif 000002
【特許請求の範囲】
【請求項１】
起立姿勢に保持されたスクリューロッドを有するベース部材と、該スクリューロッドに係合される中皿と、該中皿をスクリューロッドとともに取り囲みその内側に内容物の充填空間を形成するケース本体とを備え、該スクリューロッドを該ベース部材を介して回転させることにより該中皿を該スクリューロッドの軸芯に沿いスライドさせて該充填空間内の内容物を該ケース本体の開放端より押し出す繰り出し容器であって、
前記ケース本体は、その末端部に、前記スクリューロッドの軸芯の周りに回動可能で、かつ、該ケース本体の末端に向けて押圧可能な操作体を備え、
該操作体は、内容物の繰り出しを意図しない初期姿勢においては前記ベース部材との連結が解除されているが、該ケース本体の末端に向けた押圧状態では該ベース部材につながり、かつ、その回動にて該スクリューロッドの回転を可能とする継手部材を有することを特徴とする繰り出し容器。
【請求項２】
前記ベース部材と前記操作体との相互間には、内容物の繰り出しを意図しない初期姿勢において前記操作体を前記ベース部材から離反させてその連結を解除する弾性部材を有する、ことを特徴とする請求項１に記載した繰り出し容器。
【請求項３】
前記ベース部材は、少なくとも１つの連係部を有し、前記操作体の継手部材は、該操作体の、前記ケース本体の末端へ向けた押圧にて該ベース部材の連係部に係合可能な連係部を有する、ことを特徴とする請求項１または２に記載した繰り出し容器。
【発明の詳細な説明】
【技術分野】
【０００１】
本発明は、中皿をケース本体内でスライドさせることによって充填空間内の内容物をケース本体の開放端より適宜押し出すことができる繰り出し容器に関するものである。
【背景技術】
【０００２】
口紅やリップクリームあるいはスティックタイプの糊等を内容物として充填する容器としては、ケース本体の下端部分に取り付けられた操作体（ダイヤル等）を回動させて内容物をケース本体の開放端から適宜押し出す繰り出し容器が適用されており、この点に関する先行文献としては、例えば特許文献１、特許文献２に開示されたものが知られている。
【先行技術文献】
【特許文献】
【０００３】
【特許文献１】特開２００１−２３１６２８号公報
【特許文献２】特開平１１−２８６１９７号公報
【発明の概要】
【発明が解決しようとする課題】
【０００４】
ところで、かかる容器は、ポケットや鞄、あるいはポーチ等に入れて持ち歩く際に、操作体が不用意に回動して内容物が繰り出されてしまう不具合を有している。
【０００５】
また、この種の容器は、悪戯や間違い等、内容物の繰り出しを意図してないにもかかわらず繰り出されてしまう場合もあり、その解決が望まれていた。
【０００６】
本発明の課題は、内容物の繰り出しを意図したとき（使用時）にのみ繰り出すことができる新規な繰り出し容器を提案するところにある。
【課題を解決するための手段】
【０００７】
本発明は、起立姿勢に保持されたスクリューロッドを有するベース部材と、該スクリューロッドに係合される中皿と、該中皿をスクリューロッドとともに取り囲みその内側に内容物の充填空間を形成するケース本体とを備え、該スクリューロッドを該ベース部材を介して回転させることにより該中皿を該スクリューロッドの軸芯に沿いスライドさせて該充填空間内の内容物を該ケース本体の開放端より押し出す繰り出し容器であって、前記ケース本体は、その末端部に、前記スクリューロッドの軸芯の周りに回動可能で、かつ、該ケース本体の末端に向けて押圧可能な操作体を備え、該操作体は、内容物の繰り出しを意図しない初期姿勢においては、前記ベース部材との連結が解除されているが、該ケース本体の末端に向けた押圧状態では該ベース部材につながり、かつ、その回動にて該スクリューロッドの回転を可能とする継手部材を有することを特徴とする繰り出し容器である。
【０００８】
前記ベース部材と前記操作体との相互間には、内容物の繰り出しを意図しない初期姿勢において前記操作体を前記ベース部材から離反させてその連結を解除する弾性部材を設けるのが望ましい。
【０００９】
また、前記ベース部材に、少なくとも１つの連係部を設け、前記操作体の継手部材には、該操作体の、前記ケース本体の末端へ向けた押圧にて、該ベース部材の連係部に係合可能な連係部を設けるのが望ましい。
【発明の効果】
【００１０】
本発明の繰り出し容器によれば、操作体をケース本体の末端に向けた押圧状態で回動させたときにのみ操作体の継手部材がベース部材につながってスクリューロッドを回転させることができるため内容物が不用意に繰り出されることはない。
【００１１】
また、本発明の繰り出し容器によれば、ベース部材と操作体との相互間には、内容物の繰り出しを意図しない初期姿勢において前記操作体を前記ベース部材から離反させてその連結を解除する弾性部材が配設されており、ベース部材には、少なくとも１つの連係部が、また、操作体には、ケース本体の末端へ向けた押圧状態において、該ベース部材の連係部に係合可能な連係部が設けられた構造からなっているため、簡単な構造でもって内容物の不用意な繰り出しを防止することができる。
【図面の簡単な説明】
【００１２】
【図１】本発明にしたがう繰り出し容器の実施の形態を模式的に示した図（中心線を境に右側半分を断面で表示）である。
【図２】（ａ）（ｂ）は、図１に示した繰り出し容器の要部拡大図である。
【図３】図１に示した繰り出し容器の使用状態を示した図である。
【発明を実施するための形態】
【００１３】
以下、図面を参照して本発明を具体的に説明する。
図１は、本発明にしたがう繰り出し容器の実施の形態を模式的に示した図である。本発明にしたがう繰り出し容器は、その構成部材の全てを合成樹脂で構成することを基本とするが、その全部もしくは一部分を金属製部材で構成してもよい。
【００１４】
図における符号１は、スクリューロッド、２は、スクリューロッド１を起立姿勢に保持するベース部材である。ベース部材２は、下向きに開放された凹部ｄを有するベース本体２ａと、ベース本体２ａの下端に一体連結し、径方向外側に向けて延出するフランジ２ｂから構成されており、ベース本体２ａの頂部中央にスクリューロッド１の下端が一体連結している。
【００１５】
また、３は、内容物を保持する中皿である（内容物は、棒状部材が適用されるが図示はしていない）。中皿３は、スクリューロッド１のねじ部に係合するねじ部が形成された短尺の内筒３ａと、後述するケース本体の内壁に摺動可能に接触する比較的長尺な外筒３ｂと、該内筒３ａおよび外筒３ｂを相互に一体連結する底壁部３ｃから構成されており、外筒３ｂの外周壁には少なくとも１つの縦溝ｍが形成されている。
【００１６】
４は、中皿３をスクリューロッド１とともに取り囲みその内側に内容物の充填空間Ｍを形成するケース本体である。ケース本体４は、上部、下部がそれぞれ開放された筒状体からなっており、その内周壁には、中皿３の外筒３ｂに設けられた縦溝ｍに適合する縦リブｍ１が形成されている。ケース本体４の縦リブｍ１に中皿３の縦溝ｍが適合することにより、該中皿３の回転が規制され、ケース本体４内で直接的にスライドできるようになっている。ケース本体４の上部の開放端４′が内容物の押し出し口を形成する。なお、中皿３の外筒３ｂに縦リブを設け、ケース本体４の内周壁に該縦リブに適合する縦溝を設けてもよい。
【００１７】
また、５は、ケース本体４の末端部４ａに設けられた操作体（袴部材）である。この操作体５は、ケース本体４の径とほぼ同等の径を有するディスク状の底壁部５ａと、この底壁部５ａの縁部に一体連結して立ち上がり、ケース本体４の末端部４ａを取り囲む環状壁部５ｂからなるカップ型形状をなすものであって、スクリューロッド１の軸芯Ｐの周りに回動可能で、かつ、その押圧により該軸芯Ｐに沿ってスライド可能になっている。
【００１８】
操作体５は、具体的には、ケース本体４の末端部４ａに設けられた凸部４ｂと操作体５の環状壁部５ｂの内周壁に設けられた凸部５ｃを例えばアンダーカット嵌合させるものを適用することができる。かかる構造によれば、該操作体５をスクリューロッド１の軸芯Ｐの周りに回動させることができるだけでなく、該凸部４ｂの上部に位置する環状の凹部４ｃ内で該凸部５ｃを上下に移動させることが可能になるため、操作体５をケース本体４の末端４ａ１に向けて押圧することができる。なお、操作体５の回動および押圧機構については、他の手段を用いることも可能であり、アンダーカット嵌合によるものに限定されることはない。
【００１９】
また、６は、ケース本体４の内周壁の下部に設けられ、内側に向けて延出する環状の張り出し部材である。この張り出し部材６は、ベース部材２をケース本体４に回転可能に抜け止め保持する機能を有するものであり、その内側先端部６ａがベース本体２ａの上部に設けられた凸部２ａ１の下端に位置し、その下端部の凸部６ｂがフランジ２ｂの上面に当接している。
【００２０】
また、７は、操作体５の底壁部５ａの上面中央部に設けられた円柱状の継手部材である。この継手部材７は、ベース本体２ａに設けられた凹部ｄへの嵌り込みを可能とする径を有している。
【００２１】
８は、ベース本体２ａの凹部ｄの内周壁に設けられた複数本の連係部（縦リブ）、９は、継手部材７の外周壁の周りに設けられた複数本の連係部（溝部）である。連係部（溝部）９は、操作体５をケース本体４の末端４ａ１へ向けて押圧することにより連係部（縦リブ）８に係合するものであって、その係合状態を維持したまま操作体５を回動させることにより、ベース部材２およびこれにつながるスクリューロッド１をケース本体４内で回転させることができるようになっている。
【００２２】
なお、本発明においては、連係部８、連係部９については、縦リブと溝部を用いた場合を例として説明したが、連係部８を溝部に、また、連係部９を縦リブとしてもよいし、連係部８、連係部９のいずれをもリブ状部材で構成し、これらを相互に当接させてベース部材２を回転させる等、他の係合手段を適用することも可能であり、この点については限定されない。
【００２３】
また、符号１０は、ベース部材２のフランジ２ｂと操作体５の底壁部５ａとの相互間に設けられた弾性部材である。この弾性部材１０は、内容物の繰り出しを意図しない図１に示すような初期姿勢では、その付勢力（反発力）により操作体５の継手部材７をベース部材２から離反させる向きに押しやっており（ベース部材２と操作体５との連結が解除されている）、これにより、操作体５が不用意に回動することがあっても操作体５のみを空回りさせて内容物が繰り出されることがないようになっている。
【００２４】
弾性部材１０は、ここでは、図２に示すように、ベース本体２ａの凹部ｄを挟む対向位置にフランジ２ｂから固定部１０ａを介して設置された片持ち支持になる一対の板ばねを用いたものを例として示したが、該弾性部材１０は、スプリングタイプの弾性部材等、上下に変形可能な構造のものであればどのような形態のものを適用してもよい。また、弾性部材１０の固定部１０ａは、操作体５の底壁部５ａに設けることもできる。さらに、弾性部材１０は、ベース部材２または操作体５とは別体構造とし、ベース部材２（ベース本体２ａ）と操作体５の相互間に介在させてもよい。
【００２５】
また、１１は、ケース本体４の上部に着脱自在に嵌合して開放端４′を密閉するキャップである。キャップ１１は、アンダーカット嵌合するものやねじ係合するものが適用される。
【００２６】
本発明にしたがう繰り出し容器においてケース本体４内の内容物を繰り出すには、キャップ１１を取り外したのち、図３に示すように、操作体５をケース本体４の末端４ａ１に向けて押圧し、その状態を維持したまま該操作体５を、スクリューロッド１の軸芯Ｐの周りに回動させればよい。そうすると、スクリューロッド１は、ベース部材２を介して回転し、該スクリューロッド１に係合する中皿３はその軸芯Ｐに沿い開放端４′へ向けてスライドすることとなり、充填空間内の内容物がケース本体４の開放端４′より押し出される。なお、操作体５の押圧に際しては、底壁部５ａをケース本体４の末端４ａ１に接触させてもかまわない。
【００２７】
本発明にしたがう繰り出し容器は、内容物の繰り出しを意図しない初期姿勢では、ベース部材２と操作体５とが切り離された状態にあるため、操作体５が単に回動しただけでは、内容物が繰り出されることはなく、内容物の不用意な繰り出し、悪戯等による繰り出しを確実に防止することができる。
【００２８】
また、本発明にしたがう繰り出し容器は、操作体５に付加した押圧力を解除すると弾性部材１０の付勢力により操作体５の凸部５ｃがケース本体の凸部４ｂの嵌合位置に戻るため、ベース部材２と操作体５との連結を確実に解除することができ、連結の解除をし忘れることがない利点を有している。なお、操作体５を押圧した際に連係部８と連係部９が係合をし始める位置については適宜設定される。
【産業上の利用可能性】
【００２９】
本発明によれば、内容物の意図しない繰り出しを確実に回避し得る繰り出し容器が提供できる。
【符号の説明】
【００３０】
１      スクリューロッド
２      ベース部材
２ａ    ベース本体
２ｂ    フランジ
３      中皿
３ａ    内筒
３ｂ    外筒
３ｃ    底壁部
４      ケース本体
４′    開放端
４ａ    末端部
４ｂ    凸部
４ｃ    凹部
５      操作体
５ａ    底壁部
５ｂ    環状壁部
５ｃ    凸部
６      張り出し部材
６ａ    内側先端部
６ｂ    凸部
７      継手部材
８      連係部（縦リブ）
９      連係部（溝部）
１０    弾性部材
１０ａ  固定部
１１    キャップ
ｄ      凹部
ｍ      縦溝
Ｍ      充填空間
ｍ１    縦リブ
Ｐ      軸芯
【図１】
2018015417.tif 000003
【図２】
2018015417.tif 000004
【図３】
2018015417.tif 000005